(57)【要約】【課題】  生体情報に関連する情報の効果的な活用および（または）より柔軟な運用を可能にする技術を提供する。【解決手段】  本発明の一態様に係る情報処理装置は、第１構成員および第２構成員を含むグループの第１構成員の健康状態と関連する情報を取得するように構成された取得部と、第１構成員の健康状態と関連する情報が第１範囲に含まれているか否かを判定し、健康状態と関連する情報が第１範囲と異なる第２範囲に含まれているか否かを判定するように構成された判定部と、健康状態と関連する情報が第１範囲に含まれている場合に第１信号を第１構成員が使用する第１端末および第２端末の一方のみに送信し、健康状態と関連する情報が第１範囲と異なる第２範囲に含まれている場合に第２信号を第１端末および第２構成員が使用する第２端末の両方に送信するように構成された送信部と、を備える。【選択図】      図１
2019117594.tif 000002
【特許請求の範囲】
【請求項１】
第１構成員および第２構成員を含むグループの前記第１構成員の健康状態と関連する情報を取得するように構成された取得部と、
前記第１構成員の健康状態と関連する情報が第１範囲に含まれているか否かを判定し、前記健康状態と関連する情報が前記第１範囲と異なる第２範囲に含まれているか否かを判定するように構成された判定部と、
前記健康状態と関連する情報が前記第１範囲に含まれている場合に第１信号を前記第１構成員が使用する第１端末および第２端末の一方のみに送信し、前記健康状態と関連する情報が前記第１範囲と異なる第２範囲に含まれている場合に第２信号を前記第１端末および前記第２構成員が使用する第２端末の両方に送信するように構成された送信部と、
を備える情報処理装置。
【請求項２】
前記グループは、第３構成員をさらに含み、
前記判定部は、前記健康状態が前記第１範囲および前記第２範囲と異なる第３範囲に含まれているか否かを判定するようにさらに構成され、
前記送信部は、前記健康状態と関連する情報が前記第１範囲および前記第２範囲と異なる第３範囲に含まれている場合に第３信号を前記第１端末、前記第２端末、および前記第３構成員が使用する第３端末の全てに送信するように構成されている、
請求項１の情報処理装置。
【請求項３】
前記判定部は、前記健康状態と関連する情報が前記第１乃至第３範囲と異なる第４範囲に含まれているか否かを判定するようにさらに構成され、
前記送信部は、前記健康状態と関連する情報が前記第４範囲に含まれている場合に、第４信号を第４端末に送信するように構成されている、
請求項２の情報処理装置。
【請求項４】
前記送信部は、前記健康状態と関連する情報が前記第４範囲に含まれている場合に、前記第４信号を前記第１乃至第４端末の全てに送信するように構成されている、
請求項３のいずれか１項の情報処理装置。
【請求項５】
前記第１範囲および前記第２範囲の少なくとも１つは、前記第１端末および前記第２端末の少なくとも一方によって変更されることが可能である、
請求項１乃至請求項４のいずれか１項の情報処理装置。
【請求項６】
前記第４範囲は、前記第１端末および前記第２端末による変更を禁止されている、
請求項４の情報処理装置。
【請求項７】
前記健康状態と関連する情報は、前記第１端末から送信された情報を含む、
請求項１乃至６のいずれか１項の情報処理装置。
【請求項８】
第１構成員および第２構成員を含むグループの前記第１構成員の健康状態と関連する情報を取得することと、
前記第１構成員の健康状態と関連する情報が第１範囲に含まれているか否かを判定することと、
前記健康状態と関連する情報が前記第１範囲に含まれている場合に第１信号を前記第１構成員が使用する第１端末および第２端末の一方のみに送信することと、
前記健康状態と関連する情報が前記第１範囲と異なる第２範囲に含まれているか否かを判定することと、
前記健康状態と関連する情報が前記第１範囲と異なる第２範囲に含まれている場合に第２信号を前記第１端末および前記第２構成員が使用する第２端末の両方に送信することと、
を備える情報処理方法。
【請求項９】
プロセッサに請求項１乃至請求項７のいずれか１項の情報処理装置として機能させる情報処理プログラム。
【請求項１０】
コンピュータを有する健康管理装置で用いられる健康管理情報のデータ構造であって、
複数の構成員の各々に対し設定された個人識別情報と、前記各構成員の健康状態に影響を与える指標値と、前記複数の構成員を含むグループに対し設定されたグループ識別情報とを有し、
前記健康管理装置が、
前記グループ識別情報をもとに当該グループに含まれる前記複数の構成員の個人識別情報を特定し、
前記特定された個人識別情報に関連付けられた各構成員の指標値をもとに前記グループとしての健康状態を判定する
処理に用いられる、健康管理情報のデータ構造。
【請求項１１】
前記指標値は、当該指標値が関する構成員の血圧である、
請求項１０の健康管理情報のデータ構造。
【発明の詳細な説明】
【技術分野】
【０００１】
実施形態は、情報処理装置、情報処理方法、情報処理プログラム、および健康管理情報のデータ構造に関する。
【背景技術】
【０００２】
ユーザの生体情報は、ユーザの健康状態を少なくとも部分的に反映している。よって、生体情報を利用すれば、ユーザの健康管理が可能である。健康管理に利用されることが可能な生体情報の代表的なものに、血圧がある。血圧が高いと、脳卒中、心筋梗塞などの重大な病気の発症リスクが高まることが知られている。そこで、高血圧を避けることが健康の維持に役立つ。高血圧を避けるためには、血圧の日常的な監視が重要である。
【０００３】
血圧の把握のために、近時、携帯可能な小型の血圧計が提案されている。このような血圧計は、従来の据置型の血圧計よりも頻繁な血圧測定を可能にする。この結果、ユーザへの携帯型の血圧計の装着により、ユーザが血圧の変動を把握することが容易になる。
【０００４】
携帯型の血圧計は、データ通信を行うことが可能な場合がある。そのような携帯型血圧計は、例えばスマートフォン等の携帯型情報端末と通信することができ、携帯型情報端末に血圧の値を送信することができる。携帯型情報端末は、通信ネットワークと通信することが可能である。
【先行技術文献】
【特許文献】
【０００５】
【特許文献１】特開２０１６−１９４８２１号公報
【発明の概要】
【発明が解決しようとする課題】
【０００６】
携帯型の血圧計により、血圧そのものの認識は血圧計のユーザによって容易になされる。しかしながら、測定された血圧をどう解釈するかは、ユーザに委ねられている。このため、せっかく頻繁に取得されることが可能になった血圧が有効に活用されていないといえ、有効に活用する方法が望まれる。
【０００７】
また、血圧は、その血圧を有する本人だけの関心事項ではない場合がある。すなわち、上記のように血圧の管理は重大な病気の回避に役立ち、高血圧に起因し得る病気は、高血圧を有する本人のみならず、その家族にも影響を与え得る。このため、ある家族のある構成員の血圧は、別の構成員にとっても大きな関心事項であり得る。そこで、家族の間で血圧に関する情報を上手に共有できれば、本人および家族の他の構成員の血圧制御の意欲が上がる可能性がある。しかしながら、家族で血圧の情報を共有するための従来の手法は、口頭による伝達が主であった。このため、血圧の情報の共有は適切に行われていない可能性がある。
【０００８】
特許文献１は、ウェアラブルなセンサ１０４によって計測された生体情報が利用者端末１００から保険契約支援装置１に送信される技術を開示する。しかしながら、利用者端末１００から保険契約支援装置１に送信された生体情報に基づく情報が利用者端末１００に有用に送信されることを開示しない。
【０００９】
本発明の少なくとも一態様の目的は、生体情報に関連する情報の効果的な活用および（または）より柔軟な運用を可能にする技術を提供することである。
【課題を解決するための手段】
【００１０】
本発明は、上述した課題を解決するために、以下の構成を採用する。
【００１１】
すなわち、本発明の第１の態様に係る情報処理装置は、第１構成員および第２構成員を含むグループの前記第１構成員の健康状態と関連する情報を取得するように構成された取得部と、前記第１構成員の健康状態と関連する情報が第１範囲に含まれているか否かを判定し、前記健康状態と関連する情報が前記第１範囲と異なる第２範囲に含まれているか否かを判定するように構成された判定部と、前記健康状態と関連する情報が前記第１範囲に含まれている場合に第１信号を前記第１構成員が使用する第１端末および第２端末の一方のみに送信し、前記健康状態と関連する情報が前記第１範囲と異なる第２範囲に含まれている場合に第２信号を前記第１端末および前記第２構成員が使用する第２端末の両方に送信するように構成された送信部と、を備える。
【００１２】
第１の態様によれば、ある構成員の健康状態と関連する情報が、この構成員の端末に限らず、グループ中の様々な構成員の端末にも送信され得、健康状態と関連する情報の情報が効果的に活用されることが可能である。また、健康状態と関連する情報が第１範囲に含まれるか第２範囲に含まれるかに応じて相違する宛先に第１信号および第２信号が送信されることが可能である。よって、健康状態と関連する情報の深刻度がより低い場合は限定された範囲に信号が送信され、深刻度がより高い場合は広い範囲に信号が送信されることを通じて、より適切な範囲に信号が送信されることが可能となる。
【００１３】
本発明の第２の態様に係る情報処理装置では、前記グループは、第３構成員をさらに含み、前記判定部は、前記健康状態が前記第１範囲および前記第２範囲と異なる第３範囲に含まれているか否かを判定するようにさらに構成され、前記送信部は、前記健康状態と関連する情報が前記第１範囲および前記第２範囲と異なる第３範囲に含まれている場合に第３信号を前記第１端末、前記第２端末、および前記第３構成員が使用する第３端末の全てに送信するように構成されている。
【００１４】
第２の態様によれば、健康状態と関連する情報の深刻度がさらに高い場合にさらに広い範囲に信号が送信されることを通じて、より適切な範囲に信号が送信されることが可能となる。
【００１５】
本発明の第３の態様に係る情報処理装置では、前記判定部は、前記健康状態と関連する情報が前記第１乃至第３範囲と異なる第４範囲に含まれているか否かを判定するようにさらに構成され、前記送信部は、前記健康状態と関連する情報が前記第４範囲に含まれている場合に、第４信号を第４端末に送信するように構成されている。
【００１６】
第３の態様によれば、健康状態と関連する情報の深刻度が一層高い場合に、グループの構成員以外の人に、自動的に健康状態と関連する情報が送信されることが可能である。例えば、そのような人として、医師に情報が送信されることにより、早めに健康管理の対策が取られることが可能である。
【００１７】
本発明の第４の態様に係る情報処理装置では、前記送信部は、前記健康状態と関連する情報が前記第４範囲に含まれている場合に、前記第４信号を前記第１乃至第４端末の全てに送信するように構成されている。
【００１８】
第４の態様によれば、健康状態と関連する情報の深刻度が一層高い場合は、一層広い範囲に信号が送信されることを通じて、より適切な範囲に信号が送信されることが可能である。特に、例えば、第４範囲を第１乃至第３範囲より高くし、かつ第４範囲に属することになると保険料が上がるような場合に、保険料上昇前に対策を取る機会を得ることができる。
【００１９】
本発明の第５の態様に係る情報処理装置では、前記第１範囲および前記第２範囲の少なくとも１つは、前記第１端末および前記第２端末の少なくとも一方によって変更されることが可能である。
【００２０】
第５の態様によれば、例えば、グループの構成員の希望に応じて第１範囲および（または）第２範囲が自由に設定されることが可能であり、構成員は、自らの希望に基づいた形で通知を受け取ることが可能である。このことは、日々の健康状態と関連する情報の管理に柔軟性を与えることが可能である。
【００２１】
本発明の第６の態様に係る情報処理装置では、前記第１端末および前記第２端末による変更を禁止されている。
【００２２】
第６の態様によれば、重要な範囲がグループの構成員によって変更されることを禁じることによって、構成員が自分の都合の良いように範囲を変更することを禁じることができる。例えば、このことは、第４範囲が保険料の算出に使用される場合に有用である。
【００２３】
本発明の第７の態様に係る情報処理装置では、前記健康状態と関連する情報は、前記第１端末から送信された情報を含む。
【００２４】
第７の態様によれば、第１端末から送信された健康状態と関連する情報についての判断の結果に関する信号が、グループ内の構成員の端末、すなわち、第１端末および（または）第２端末に送信される。このため、健康状態と関連する情報についての判定の結果が、健康状態と関連する情報に対して関心の高いユーザにまず通知されることが可能である。
【００２５】
本発明の第８の態様に係る健康管理情報のデータ構造は、コンピュータを有する健康管理装置で用いられる健康管理情報のデータ構造であって、複数の構成員の各々に対し設定された個人識別情報と、前記各構成員の健康状態に影響を与える指標値と、前記複数の構成員を含むグループに対し設定されたグループ識別情報とを有し、前記健康管理装置が、前記グループ識別情報をもとに当該グループに含まれる前記複数の構成員の個人識別情報を特定し、前記特定された個人識別情報に関連付けられた各構成員の指標値をもとに前記グループとしての健康状態を判定する処理に用いられる。
【００２６】
第８の態様によれば、グループと構成員との関連付けが管理され、かつ構成員ごとの指標値が管理される。このため、構成員の指標値がグループと関連付けられることが可能であり、構成員の指標値からグループ全体の指標値（区分）が決定されることが可能である。このことは、グループ全体での指標が構成員の指標に依存し、グループ全体の指標が何らかのパラメータ（例えば保険料）の決定に影響する場合に、パラメータの決定がなされることを可能にする。
【発明の効果】
【００２７】
本発明の少なくとも幾つかの態様によれば、生体情報に関連する情報の有効な活用および（または）柔軟な運用を可能にする技術を提供することが可能である。
【図面の簡単な説明】
【００２８】
【図１】適用例に係る情報送受信システムを模式的に示す。
【図２】適用例に係る情報送受信システムの動作の一ケースについてのフローを示す。
【図３】実施例に係るユーザ端末の構成および情報送受信システムを示す。
【図４】実施例に係る測定装置のハードウェア構成を示す。
【図５】実施例に係る情報端末のハードウェア構成を示す。
【図６】実施例に係るサーバのハードウェア構成を示す。
【図７】実施例に係る情報端末の機能ブロックを示す。
【図８】実施例に係る情報端末の動作のフローを示す。
【図９】実施例に係るサーバの機能ブロックを示す。
【図１０】実施例に係るサーバの動作のフローを示す。
【図１１】実施例に係るデータ構造を示す。
【発明を実施するための形態】
【００２９】
（一実施形態）
以下、本発明の一側面に係る実施の形態が、図面を参照して説明される。以下で説明される実施形態（以下、「本実施形態」と表記される場合がある）は、あらゆる点において本発明の例示に過ぎない。本発明の範囲を逸脱することなく種々の改良や変形を行うことができることは言うまでもない。つまり、本発明の実施にあたって、実施形態に応じた具体的構成が採用されてもよい。
【００３０】
１．適用例
図１を参照して、本発明が適用される場面の一例が説明される。図１は、本適用例に係る情報送受信システム１００を模式的に示す。情報送受信システム１００は、複数のユーザ端末１（１ａ、１ｂ、１ｃ）、およびサーバ（情報処理装置）２を含む。各ユーザ端末１は、予め割り当てられた固有の識別情報（ＩＤ）を有する。
【００３１】
あるユーザ端末１ａ、１ｂ、および１ｃは、１つのグループに属する複数の構成員によってそれぞれ使用される。ユーザ端末を使用する人はユーザとも称される。ユーザ端末１ａ〜１ｃが相互に区別される必要がない場合、例えば、いずれのユーザ端末１ａ〜１ｃにも当てはまる説明では、単にユーザ端末１と称される。グループは、１家族のうちの１人以上の構成員を含み、グループ単位の契約でかつグループの構成員全員が加入する１つの保険の保証対象となる集団であることが可能であり、例えば生計を一とする集団であることが可能である。また、グループは、家族に限られず、例えば、グループの各構成員が別の構成員と遺伝関係（血縁関係）を有するような構成員の組である。グループの各構成員が、当該グループの別の誰か１人の構成員と遺伝関係を有していれば、各構成員が他の構成員全員と遺伝関係を有している必要はない。また、グループの全構成員が同居している必要はない。ある第１構成員が別の第２構成員と遺伝関係を有する例として、第２構成員は、第１構成員の親、子、兄、弟、姉、妹、祖父、祖母、叔父、叔母、伯父、伯母のいずれかであり得る。第１構成員が第２構成員と法律上の関係を有するか否かは問われない。各グループは、予め割り当てられた固有のＩＤを有する。
【００３２】
各ユーザ端末１は、ある値または量を測定すること、測定された値または量に関連するデータを通信ネットワーク３に送信すること、通信ネットワーク３から信号を受信すること、および受け取られた信号に基づく情報を当該ユーザ端末１のユーザに発することが可能である。そのようなことを実行できれば、各ユーザ端末１はどのような構成を有していても良い。各ユーザ端末１は、複数の別々の独立した機器を含んでいてもよい。この場合、複数の機器は、各々、ユーザ端末１が有する機能の１つまたは複数を有し、相互に有線または無線で通信することができる。
【００３３】
ユーザ端末１によって測定される値または量は、少なくともユーザ端末１を使用するユーザの健康状態に関する情報を含む。ユーザの健康状態に関する情報（健康状態関連情報）は、例えば、ユーザの生体情報に関する数値を含み、ユーザの収縮期血圧（明細書の以下の部分および図面では単に血圧と称される）、心拍数、および血液中の種々の項目についての値を含む。血液中の種々の項目は、例えば、病院での血液検査で測定されることが可能な項目である。血液中の種々の項目の代表的な具体例は、クレアチンフォスフォキナーゼＭＢ、Ｃ−反応性蛋白、尿素窒素、クレアチニン、クレアチニンクリアランス、尿酸、総ビリルビン、アルカリフォスファターゼ、ＡＳＴ（アスパラギン酸アミノ基転移酵素）、ＡＬＴ（アラニンアミノトランスフェラーゼ）、γ−ＧＴ、血清アミラーゼ、リパーゼ、総コレステロール、ＨＤＬ（高比重リポ蛋白）コレステロール、ＬＤＬ（低比重リポ蛋白）コレステロール、中性脂肪酸、ヘモグロビンＡ１ｃ、インスリン、空腹時血糖を含む。測定される値または量は、以下、測定データと称される。健康状態関連情報の例は、また、ユーザの活動量を含む。
【００３４】
各ユーザ端末１は無線または有線で通信ネットワーク３と接続される。通信ネットワーク３はまた、サーバ２と接続されている。各ユーザ端末１、およびサーバ２は、通信ネットワーク３を介して、相互に通信することができる。
【００３５】
各ユーザ端末１は、あるタイミングで、ユーザの健康状態関連情報を測定して測定データを取得し、取得された測定データを通信ネットワーク３を介してサーバ２に送信する。測定データには当該測定データを測定したユーザ端末のＩＤが関連付けられている。
【００３６】
サーバ２は、命令に基づいて種々の情報処理を行うことができ、また記憶装置（図示せず）を含む。サーバ２は、あるタイミングで、様々なユーザ端末ＩＤについてのそれぞれの測定データを、例えばサーバ２中の記憶装置から取得する。サーバ２は、例えば予め定められた期間ごとに、サーバ中の記憶装置にアクセスし、各ユーザ端末ＩＤについての最新の測定データを取得する。こうして、サーバ２は、各ユーザ端末ＩＤについての測定データを時間に亘って監視する。
【００３７】
サーバ２は、ユーザ端末ＩＤごとに、複数の境界値を保持する。複数の境界値の少なくとも１つは、外部から設定されることが可能である。
【００３８】
サーバ２は、測定データを受け取る度、または任意のタイミングで、最新の測定データを使用して、指標値を算出する。指標値は、単に１種類の健康状態関連情報の値そのものでもよいし、複数の健康状態関連情報、および他の情報に基づいて算出されてもよい。サーバ２は、次いで、指標値がある条件を充足するかを判断する。条件は、例えば、指標値が、この指標値の算出に使用された測定データを送信したユーザ端末１に対して設定されたある範囲に含まれる（属する）ことである。すなわち、条件は、大きさに関して隣り合う２つの境界値Ｂ１およびＢ２（＞Ｂ１）が設定されている場合に、指標値が、境界値Ｂ１超かつ境界値Ｂ２以下であること、または境界値Ｂ１以上かつ境界値Ｂ２未満であることである。複数の境界値により、複数の範囲が定義される。
【００３９】
サーバ２は、条件が充足すると、トリガ情報を特定のユーザ端末１に送信する。トリガ情報は、複数の条件のうちのどの条件が充足したかに関する情報、例えば、指標値が複数の範囲のうちのいずれに属するかに関する情報を含んでいる。トリガ情報が送信される先のユーザ端末１は設定されることが可能であり、各トリガ情報は１または複数のユーザ端末を含むユーザ端末群に送信されることが可能である。さらに、トリガ情報ごとに、相違する送信先ユーザ端末群が設定されることが可能である。例えば、まず、ユーザ端末１ａの測定データから算出された指標値がある範囲Ｒ１に属すると判断されると、ユーザ端末１ａ〜１ｃのいずれか１つのみにトリガ情報が送信される。ユーザ端末１ａについての指標値が、範囲Ｒ１に属さず、代わりに範囲Ｒ１と異なる範囲Ｒ２に属すると判断されると、ユーザ端末１ａおよびユーザ端末１ｂにトリガ情報が送信される。さらに、ユーザ端末１ａについての指標値が、範囲Ｒ１にも範囲Ｒ２にも属さず、代わりに範囲Ｒ１および範囲Ｒ２と異なる範囲Ｒ３に属すると判断されると、ユーザ端末１ａ〜１ｃの全てにトリガ情報が送信されることも可能である。
【００４０】
ユーザ端末１は、トリガ情報を受信すると、受信されたトリガ情報に基づく通知を当該ユーザ端末１のユーザに対して発する。例えば、通知は、トリガ情報が送信された条件充足判断の対象であったユーザ端末１の指標値が、ある特定の範囲内にあることである。通知は、ユーザ端末１の画面に情報を表示すること、ユーザ端末１から特定の音を発すること、の少なくとも一方を含む。
【００４１】
図２は、本適用例に係る情報送受信システム１００の動作の一ケースについてのフローを示す。図２に示されるように、ステップＳ１において、サーバ２は、あるタイミングでユーザ端末１ａについての最新の測定データを取得し、最新の測定データからユーザ端末１ａについての最新の指標値を算出する。指標値は、例えば血圧そのものである。ステップＳ２において、サーバ２は、最新の指標値が第２範囲Ｒ２に属するか否かを判断する。
【００４２】
指標値が第２範囲Ｒ２に属する場合（ステップＳ２でのＹｅｓ分岐）、ステップＳ３において、サーバ２は、ユーザ端末１ａおよび１ｂにトリガ信号を送信する。ステップＳ４において、ユーザ端末１ａおよび１ｂは、ユーザ端末１ａについての指標値が第２範囲Ｒ２に属することを示す通知をユーザ端末１ａおよび１ｂのそれぞれのユーザに対して発する。ステップＳ４は、ステップＳ１に継続する。
【００４３】
一方、指標値が第２範囲Ｒ２に属さない場合（ステップＳ２でのＮｏ分岐）、ステップＳ６において、サーバ２は、ステップＳ１で算出された指標値が第１範囲Ｒ１に属するか否かを判断する。指標値が第１範囲Ｒ１に属さない場合（ステップＳ６でのＮｏ分岐）、フローはステップＳ１に移行し、指標値が第１範囲Ｒ１に属する場合（ステップＳ６でのＹｅｓ分岐）、フローはステップＳ７に移行する。ステップＳ７において、サーバ２は、ユーザ端末１ａおよび１ｂの一方のみにトリガ信号を送信する。ステップＳ８において、ユーザ端末１ａおよび１ｂのうちの、ステップＳ７においてトリガ信号を受け取った方は、ユーザ端末１ａについての指標値が第１範囲Ｒ１に属することを示す通知をユーザ端末１ａのユーザに対して発する。ステップＳ８はステップＳ１に継続する。
【００４４】
このように、本適用例によれば、トリガ情報の送信のための複数の条件が設定され、条件ごとにトリガ情報の送信先ユーザ端末群が相違する。こうすることにより、健康状態関連情報に基づいて、相違する数のユーザ端末を含むユーザ端末群にトリガ情報が送信されることが可能であり、健康状態関連情報に関する情報の通知の仕方が細かく設定されることが可能である。また、トリガ情報が、トリガ情報の送信のきっかけとなった健康状態関連情報を提供したユーザ端末１以外のグループ構成員のユーザ端末１に送信されることが可能である。すなわち、グループの構成員の健康状態関連情報がある具体的な範囲に属することが、当該構成員または（および）当該グループの別の構成員にも通知される。このことは、グループ全体の健康維持または向上への意欲を高めることができる。
【００４５】
２．実施例
次に、図３〜図１０を参照して、図１に示されるとともに適用例の項で説明された要素の具体的な例が説明される。
【００４６】
２−１．ハードウェア構成
図３は、実施例に係るユーザ端末１の構成を示す。図３はまた、実施例に係る情報送受信システム１００中のユーザ端末１以外の要素も併せて示す。図３に示されるように、ユーザ端末１の各々（１ａ、１ｂ、１ｃ）は、測定装置５（５ａ、５ｂ、または５ｃ）および情報端末６（６ａ、６ｂ、または６ｃ）を含む。測定装置５ａ、５ｂ、および５ｃは、ユーザ端末１ａ、１ｂ、および１ｃにそれぞれ含まれる。情報端末６ａ、６ｂ、および６ｃは、ユーザ端末１ａ、１ｂ、および１ｃにそれぞれ含まれる。測定装置５ａ〜５ｃが相互に区別される必要がない場合は、測定装置５と称される。同様に、情報端末６ａ〜６ｃが相互に区別される必要がない場合は、情報端末６と称される。
【００４７】
測定装置５は、ユーザの健康状態関連情報を測定することができ、据置型でもよいし、携帯型でもよいし、ウェアラブル型でもよい。ウェアラブル型の場合、測定装置５は、生体情報の測定を行って、測定データを取得し、測定データを当該測定装置５と通信する情報端末６に送信する。測定装置５は、ウェアラブル型の血圧計であり、例えばユーザの手首に装着される。測定装置５は固有のＩＤを有し、測定装置ＩＤは、ユーザ端末１のＩＤとして機能する。
【００４８】
情報端末６は、データ通信を行うことが可能な情報処理装置であり、据置型でもよいし、携帯型でもよい。情報端末６の例は、パーソナルコンピュータ、ラップトップコンピュータ（ノート型パーソナルコンピュータ）、携帯情報端末（ＰＤＡ；Personal Digital Assistance）、スマートフォン、タブレット、携帯電話である。情報端末６は、通信ネットワーク３と接続され、通信ネットワーク３を介して他の装置、例えば別の情報端末６、サーバ２、および情報処理端末４と通信する。
【００４９】
各情報端末６は、ある１つの測定装置５と関連付けられている。図３の例では、情報端末６ａ、６ｂ、および６ｃは、それぞれ測定装置５ａ、５ｂ、および５ｃと関連付けられている。そして、各情報端末６は、関連付けられた測定装置５と通信できるように設定されている。すなわち、ある情報端末６は、専ら、関連付けられた測定装置５と通信し、当該測定装置５からの情報を、通信ネットワーク３を介して他の要素（例えばサーバ２）に送信し、当該測定装置５のための情報を、通信ネットワーク３を介して他の要素（例えばサーバ２）から受信する。そのために、各情報端末６は、例えば関連付けられた測定装置５のＩＤを保持し、関連付けられた測定装置５のＩＤを指定する情報を受け取り、関連付けられた測定装置５からの測定データに関連付けられた測定装置５のＩＤを付加して測定データを送信する。以下、ある測定装置と「関連付けられた」情報端末６とは、このように、測定装置５のための通信を専ら行う情報端末６を指すものとする。ある測定装置５に、複数の情報端末６が関連付けられてもよい。
【００５０】
通信ネットワーク３には、情報処理端末４が接続されていてもよい。情報処理端末４は、データ通信を行うことが可能な情報処理装置であり、情報端末６の例が当てはまる。
【００５１】
通信ネットワーク３には、保険会社サーバ７が接続されていてもよい。保険会社サーバ７は、例えば、保険会社によって管理される状態で保持される。すなわち、例えば、保険会社サーバ７に対する全てのアクセスおよび処理は、保険会社の権限を有する担当者によってのみ可能である。保険会社サーバ７は、データ通信を行うことが可能な情報処理装置であり、情報端末６の例が当てはまる。
【００５２】
２−１−１．測定装置
図４は、実施例に係る測定装置５のハードウェア構成を示す。図４に示されるように、測定装置５は、センサ装置５１１、ＲＯＭ（Read Only Memory）５１２、ＲＡＭ（Random Access Memory）５１３、プロセッサ５１４、出力装置５１５、入力装置５１６、および通信インターフェース（通信Ｉ／Ｆ）５１７を含む。センサ装置５１１、ＲＯＭ５１２、ＲＡＭ５１３、プロセッサ５１４、出力装置５１５、入力装置５１６、および通信インターフェース５１７のうち、互いに関連するものは互いに接続されている。
【００５３】
センサ装置５１１は、健康状態関連情報、例えば血圧を測定できる。血圧の測定は、任意の方法で行われることが可能である。例えば、センサ装置５１１は、測定装置５のユーザによる操作、または予め設定されたタイミングあるいは時間間隔で、オシロメトリック法により血圧を計測する。タイミングまたは時間間隔は、任意のものであることが可能である。
【００５４】
測定装置５は、心拍の一拍ごとに血圧を測定してもよいし、ＰＴＴ（Pulse Transit Time）法により血圧の変動を推定して、推定された変動に基づくトリガのタイミングでスポット的に血圧を測定してもよい。
【００５５】
センサ装置５１１は、健康状態関連情報以外の情報を測定することもできる。そのような情報は、ユーザの単位時間（例えば１分）当たりの心拍数、ユーザの活動量、歩数、睡眠状態、環境に関する情報の少なくとも１つを含む。これらの情報を取得するために、センサ装置５１１は、例えば、３軸センサ、温湿度センサ、気圧計を含む。センサ装置５１１は、３軸センサによりセンサ装置５１１の加速度を検出し、加速度に基づいてユーザの活動量を算出できる。また、センサ装置５１１は、３軸センサによって計測されたセンサ装置５１１の加速度および気圧に基づいて、ユーザの歩数、早歩き歩数、階段のぼり歩数を算出できる。また、センサ装置５１１は３軸センサによって計測されたセンサ装置５１１の加速度に基づいて、ユーザの寝返りを検出することによってユーザが睡眠中であることを検出できる。また、センサ装置５１１は、温湿度センサによって、センサ装置５１１の環境温度および（または）湿度を計測できる。
【００５６】
ＲＯＭ５１２は、測定装置５の動作を制御するプログラムを保持する。ＲＡＭ５１３は、測定データを含めて様々なデータを一時的に記憶する。ＲＯＭ５１２およびＲＡＭ５１３は、コンピュータ、またはその他装置あるいは機械等（例えばプロセッサ５１４）が、記録されたプログラム等の情報を読み取り可能なように、当該プログラム等の情報を、電気的、磁気的、光学的、機械的または化学的作用によって蓄積する媒体である。
【００５７】
プロセッサ５１４は、例えばＲＯＭ５１２からＲＡＭ５１３上に読み出されたプログラムを実行して、プログラムに基づく処理を実行する。出力装置５１５は、情報をユーザに対して出力し、例えばディスプレイおよび（または）スピーカを含む。入力装置５１６は、ユーザによる測定装置５への情報の入力を可能にし、例えば、マウス、キーボード、およびタッチパッドの少なくとも１つを含む。通信インターフェース５１７は、別の装置と有線または無線で通信を行い、有線通信のためのモジュール、および（または）無線通信のためのモジュールを含む。有線通信のためのモジュールは、有線接続のためのコネクタ、および通信対象の情報を有線で送受信するための装置を含む。無線通信のためのモジュールは、無線接続のためのアンテナ、および通信対象の情報を無線で送受信するための装置を含む。
【００５８】
２−１−２．情報端末
情報端末６は、データ通信を行うことが可能な情報処理装置であり、例えば、後述の処理を行わせるようにインストールされたプログラムを含んだ汎用の情報処理装置である。
【００５９】
図５は、実施例に係る情報端末６のハードウェア構成を示す。図５に示されるように、情報端末６は、ＲＯＭ６１１、ＲＡＭ６１２、プロセッサ６１３、出力装置６１４、入力装置６１５、および通信インターフェース（通信Ｉ／Ｆ）６１６を含む。ＲＯＭ６１１、ＲＡＭ６１２、プロセッサ６１３、出力装置６１４、入力装置６１５、および通信インターフェース６１６のうち、互いに関連するものは互いに接続されている。ＲＯＭ６１１、ＲＡＭ６１２、プロセッサ６１３、出力装置６１４、入力装置６１５、および通信インターフェース６１６は、それぞれ、測定装置５のＲＯＭ５１２、ＲＡＭ５１３、プロセッサ５１４、出力装置５１５、通信インターフェース５１７と同じ特徴を有し、測定装置５のＲＯＭ５１２、ＲＡＭ５１３、プロセッサ５１４、出力装置５１５、通信インターフェース５１７の説明がそれぞれ適用される。
【００６０】
２−１−３．サーバ
サーバ２も、データ通信を行うことが可能な情報処理装置であり、例えば据置型である。サーバ２の例は、後述の処理を行わせるようにインストールされたプログラムを含んだ汎用の情報処理装置である。
【００６１】
図６は、実施例に係るサーバ２のハードウェア構成を示す。図６に示されるように、サーバ２は、ＲＯＭ２１１、記憶装置（ストレージ）２１２、プロセッサ２１３、出力装置２１４、入力装置２１５、および通信インターフェース（通信Ｉ／Ｆ）２１６を含む。ＲＯＭ２１１、記憶装置２１２、プロセッサ２１３、出力装置２１４、入力装置２１５、および通信インターフェース２１６のうち、互いに関連するものは、互いに接続されている。ＲＯＭ２１１、プロセッサ２１３、出力装置２１４、入力装置２１５、および通信インターフェース２１６は、それぞれ、測定装置５のＲＯＭ５１２、プロセッサ５１４、出力装置５１５、入力装置５１６、通信インターフェース５１７と同じ特徴を有し、測定装置５のＲＯＭ５１２、プロセッサ５１４、出力装置５１５、入力装置５１６、通信インターフェース５１７の説明がそれぞれ適用される。
【００６２】
記憶装置２１２は、様々なデータを一時的に保持し、保持されるデータは、サーバ２に後述の処理を行わせるためのプログラムの一部を含む。ＲＯＭ２１１および記憶装置２１２は、コンピュータ、またはその他装置あるいは機械等が、記録されたプログラム等の情報を読み取り可能なように、当該プログラム等の情報を、電気的、磁気的、光学的、機械的または化学的作用によって蓄積する媒体である。
【００６３】
ＲＯＭ２１１、記憶装置２１２、プロセッサ２１３、出力装置２１４、入力装置２１５、および通信インターフェース２１６のいくつかは、通信ネットワーク３を介して通信する独立した装置であってもよい。例えば、記憶装置２１２は２つの記憶装置を含み、一方の記憶装置はサーバ２中に含まれ、他方の記憶装置はサーバ２の外に位置する。そして、サーバ２の外部の記憶装置は、データ通信を行うことが可能であり、通信ネットワーク３を介してサーバ２と通信する。
【００６４】
２−１−４．保険会社サーバ
保険会社サーバ７も、図示はしないが、サーバ２と同じ要素、すなわちＲＯＭ、記憶装置、プロセッサ、出力装置、入力装置、および通信インターフェースを備える。保険会社サーバ７のＲＯＭ、記憶装置、プロセッサ、出力装置、入力装置、および通信インターフェースには、それぞれ、ＲＯＭ２１１、記憶装置２１２、プロセッサ２１３、出力装置２１４、入力装置２１５、および通信インターフェース２１６の特徴が当てはまる。
【００６５】
２−２．機能および動作
次に、各要素が、機能および動作の観点から、機能ブロックを示す図および（または）方法のフローを示す図等の図を使用して説明される。各機能ブロックが、以下の例のように区別されていることは必須ではない。例えば、一部の機能が例示の機能ブロックとは別の機能ブロックによって実行されてもよい。さらに、例示の機能ブロックがさらに細かい機能サブブロックに分割されていてもよい。
【００６６】
また、方法のフローにおけるいずれのステップも、例示の順序に限定されず、そうでないと示されない限り、例示の順序とは異なる順序でおよび（または）別のステップと並行して起こることが可能である。
【００６７】
２−２−１．測定装置
測定装置５は、上記のようにあるタイミングで、測定装置５のユーザについての測定データを測定する。測定データが測定されるタイミングは、測定装置５に対して設定されたタイミングに基づくことが可能である。タイミングは、ある期間の経過ごとであることが可能である。また、タイミングは、測定データの種類に基づくことが可能である。例えば、健康状態関連情報は、１日または数日ごとに１回測定され、あるいは１時間または数時間ごとに１回測定されることも可能である。または、健康状態関連情報は、１週間または数週間に１回測定されてもよい。測定データは、測定されると、測定装置５と関連付けられた情報端末６に送信される。
【００６８】
２−２−２．情報端末
図７は、実施例に係る情報端末６の機能ブロックを示す。図７に示されるように、情報端末６は、機能ブロックとして、制御部６２１、出力部６２２、および通信部６２３を含む。出力部６２２および通信部６２３は、それぞれ、出力装置６１４および通信インターフェース６１６から実現されることが可能である。一方、制御部６２１は、例えば、ＲＯＭ６１１からＲＡＭ６１２上に読み出された、またはＲＡＭ６１２上に保持されたプログラムがプロセッサ６１３により実行されることにより実現されることが可能である。
【００６９】
制御部６２１は、出力部６２２および通信部６２３を制御する。具体的には、以下の通りである。
【００７０】
制御部６２１は、情報端末６が、通信部６２３において測定装置５から測定データを受け取ると、当該測定データに制御部６２１が含まれる情報端末６のＩＤと測定データを関連付けて、関連付けられた測定データおよび情報端末ＩＤをサーバ２に送信することを通信部６２３に指示する。
【００７１】
また、制御部６２１は、情報端末６が、通信部６２３においてサーバ２からトリガ情報を受け取ると、トリガ情報の内容に基づいて出力部６２２を制御する。出力部６２２は、制御部６２１の制御に基づく方法で、トリガ情報の受信に関する情報をユーザに対して出力する。出力される情報は、例えば、ディスプレイ上での表示、および（または）スピーカからの音を含む。上記のように、トリガ情報の送信は複数の条件のいずれかの充足により行われ、制御部６２１は、充足された条件に応じた形での通知を出力部６２２に指示する。より具体的には、ある第１条件の充足によりトリガ情報が送信された場合、第１条件の充足を示す情報が通知される。充足された条件を特定する情報を示すために、例えば、通知される情報は、画面上での第１条件と関連付けられた文字、記号、色、通知表示（アイコン）の形状のうちの１つの特徴または複数の特徴の組合せを有する。同様に、別の第２条件の充足によりトリガ情報が送信された場合、第２条件の充足を示す情報が通知される。充足された条件を示すために、例えば、通知される情報は、画面上での第２条件と関連付けられた文字、記号、色、通知表示の形状のうちの１つの特徴または複数の特徴の組合せを有する。第２条件の充足を示す通知は、第１条件の充足を示す通知と異なる。別の条件についても同様であり、相違する条件についての通知は、相違する特徴を有する。
【００７２】
さらに、通知は、トリガ情報の送信を引き起こした条件充足の判断基準の測定データを送信したユーザ端末１のＩＤに関する情報も示すことが可能である。例えば、画面上での文字、記号、色、通知表示の形状のうちの１つの特徴または複数の特徴の組合せにより、１つのユーザ端末１を特定する情報を示す。
【００７３】
図８は、実施例の情報端末６の動作のフローを示す。図８に示されるように、ステップＳ１１において、情報端末６は、測定データを当該情報端末６と関連付けられた測定装置５から受け取ったかを判断する。情報端末６は、測定データを受け取ると（ステップＳ１１のＹｅｓ分岐）、ステップＳ１２において、測定データをサーバ２に送信する。情報端末６が測定データを受け取らないと（ステップＳ１１のＮｏ分岐）、ステップＳ１３において、情報端末６は、トリガ情報を受け取ったかを判断する。情報端末６は、トリガ情報を受け取ると（ステップＳ１３のＹｅｓ分岐）、ステップＳ１４において、トリガ情報に基づく通知を発する。情報端末６は、トリガ情報を受け取らない場合（ステップＳ１３のＮｏ分岐）、待機する（ステップＳ１５）。ステップＳ１４もステップＳ１５に継続する。ステップＳ１５は、ステップＳ１１に継続する。
【００７４】
測定データの受信の判断と、トリガ情報の受信の判断は、図８に示される順序と逆の順序で行われてもよい。また、測定データの受信の判断と、トリガ情報の受信の判断は、連続することなく、互いに独立していてもよい。例えば、情報端末６は測定データを受け取るまで待機し続け、測定データを受け取ると、受け取られた測定データをサーバ２に送信する。同様に、情報端末６はトリガ情報を受け取るまで単に待機し、トリガ情報を受け取ると、対応する通知を行う。
【００７５】
２−２−３．サーバ
図９は、実施例に係るサーバ２の機能ブロックを示す。図９に示されるように、サーバ２は、機能ブロックとして、記憶部２２１、測定データ取得部２２２、指標値算出部２２３、判定部２２４、トリガ情報送信部２２５、および通信部２２７を含む。通信部２２７は、通信インターフェース２１７によって実現されることが可能である。記憶部２２１は、記憶装置２１２の少なくとも一部によって実現されることが可能である。測定データ取得部２２２、指標値算出部２２３、判定部２２４、およびトリガ情報送信部２２５は、ＲＯＭ６１１から記憶装置２１２に読み出された、または記憶装置２１２上に保持されたプログラムがプロセッサ２１３により実行されることにより実現される。
【００７６】
記憶部２２１は、種々の情報を保持する。そのような情報は、測定データに含まれる健康状態関連情報、指標値の算出に必要な健康状態関連情報以外の情報、および複数の区分のうちの各グループが現在属する区分を示す情報を示す。健康状態関連情報は、当該健康状態関連情報を含んだ測定データを測定した測定装置５のＩＤと関連付けられている。区分は、例えば、グループの全体としての健康状態を表す指標として使用されることが可能であり、グループが加入しているグループ単位契約の保険の月々の保険料の算出に使用されることが可能である。記憶部２２１は、各グループに固有のＩＤを付し、グループＩＤごとに当該グループＩＤと当該グループＩＤの区分を関連付けて保持する。
【００７７】
また、記憶部２２１は、各測定装置ＩＤについて、ｎ（ｎは自然数）個の境界値Ｂ１、Ｂ２、Ｂ３、Ｂ４、…、Ｂｎを保持している。αが１〜ｎの各々の場合について、境界値Ｂαは、Ｂ（α−１）より大きい。また、αが１〜ｎの各々の場合について、境界値Ｂαと境界値Ｂ（α＋１）の間の範囲は、第α範囲Ｒαと称される。
【００７８】
各測定装置ＩＤについて、境界値Ｂ１〜Ｂｎは、設定されることが可能である。全境界値Ｂ１〜Ｂｎのうち、少なくとも１つを除く境界値Ｂは、例えば、ユーザ端末１（測定装置５）のユーザおよび保険会社の担当者によって設定されることが可能である。一方、残り１つの境界値Ｂは、例えばユーザによって設定されることができない。代わりに、保険会社の担当者によって設定されることが可能であり、例えば、担当者が保険会社サーバ７を使用してサーバ２にアクセスして、残り１つの境界値Ｂを設定することができる。ユーザおよび保険会社の担当者によって設定されることが可能な境界値は、例えば最大の境界値Ｂｎを除く境界値Ｂ１〜Ｂｎ−１であり、保険会社の担当者によって設定されることが可能な境界値は、境界値Ｂｎである。
【００７９】
ユーザによって設定されることが可能な境界値Ｂ１〜Ｂｎ−１は、例えば測定装置ＩＤごとに設定されることが可能である。ある測定装置ＩＤについての境界値Ｂ１〜Ｂｎ−１の設定は、例えば、当該測定装置ＩＤの正当な保持者によって、設定されることが可能である。そのために、例えば、ユーザは、情報端末６を使用して、サーバ２のシステムに当該情報端末６の測定装置ＩＤを使用してログインし、境界値を変更することができる。境界値Ｂ１〜Ｂｎ−１の組が、あるグループの全ての構成員に対して共通に設定されてもよい。この場合、あるグループについての境界値Ｂは、当該グループに属する測定装置ＩＤの正当な保持者によって、設定されることが可能である。
【００８０】
境界値Ｂｎの設定は、サーバ２が保険会社によって保持されている場合は、例えばサーバ２から直接設定されることが可能である。サーバ２が保険会社の事業の所在する位置と別の場所に位置する場合、保険会社の担当者は、保険会社の情報端末（例えば情報処理端末４）から通信ネットワーク３を介してサーバ２にアクセスし、最大境界値Ｂｎを設定することができる。
【００８１】
記憶装置２１２がサーバ２中の記憶装置とサーバ２の外部の記憶装置とを含む場合、例えば、サーバ２中の記憶装置は、サーバ２の各機能ブロックの実現のためのプログラムを保持し、指標値の算出に必要な健康状態関連情報以外の情報を保持し、指標値の算出のための作業領域として動作する。一方、サーバ２の外部の記憶装置は、測定データを保持する。サーバ２の内外のそれぞれの記憶装置が、説明された例と別の情報を保持してもよい。
【００８２】
測定データ取得部２２２は、予め設定されたタイミングまたは時間間隔で、記憶部２２１から、各ユーザ端末１についての最新の測定データを取得する。測定データは、採用されている指標値算出方法に基づいて、指標値算出に必要な１つまたは複数の健康状態関連情報の値を含む。最新の測定データの取得は、ユーザ端末１ごとに相違するタイミングまたは時間間隔で行われてもよいし、複数のユーザ端末１について同じタイミングまたは時間間隔で行われてもよい。各ユーザ端末１についての最新測定データの取得が、適当なタイミングまたは時間間隔で行われれば良い。
【００８３】
指標値算出部２２３は、指標値を算出する。そのために、指標値算出部２２３は、測定データ取得部から最新の測定データを受け取り、受け取られた測定データから健康状態関連情報を取得し、さらに必要に応じて記憶部２２１から指標値の算出に必要な情報を取得する。そして、指標値算出部２２３は、取得された健康状態関連情報および場合によっては記憶部２２１からの情報を使用して、対応する指標値を算出する。一例では、指標値は、血圧そのものである。この例のように血圧そのものが指標値として使用される場合、指標値算出部２２３は設けられなくてもよい。
【００８４】
判定部２２４は、指標値算出部２２３から指標値を受け取り、当該指標値に対応する測定装置ＩＤについての境界値Ｂ１、Ｂ２、Ｂ３、…、Ｂｎを記憶部２２１から取得する。そして、判定部２２４は、受け取られた指標値が、範囲Ｒ１、Ｒ２、Ｒ３、…、Ｒｎのうちのいずれに属するかを判断する。そのために、例えば、判定部２２４は、指標値の算出に使用された測定データを送信した測定装置のＩＤについての境界値Ｂ１、Ｂ２、Ｂ３、…、Ｂｎを、最大の境界値Ｂｎから最小の境界値Ｂ１に向かって順に、指標値と比較する。そして、判定部２２４は、指標値が境界値Ｂ１〜Ｂｎ−１のうちで最初にある境界値Ｂαを超えると、指標値が範囲Ｒαに属すると判断し、指標値が範囲Ｒαに属する旨をトリガ情報送信部２２５に通知する。通知は、境界値Ｂ１〜Ｂｎのうち最初に超えられたものの特定する情報であってもよい。また、判定部２２４は、指標値が境界値Ｂα以上である場合に指標値が範囲Ｒαに属すると判断しても良い。
【００８５】
一方、判定部２２４は、指標値と境界値Ｂ１〜Ｂｎの順の比較の過程で、指標値が境界値Ｂｎを超える、すなわち指標値が範囲Ｒｎに属すると判断すると、その旨をトリガ情報送信部２２５に通知する。
【００８６】
トリガ情報送信部２２５は、ある指標値がある範囲Ｒαに属する旨の通知を受け取ると、トリガ情報を、ユーザ端末１ａ、１ｂ、１ｃのうちの、指標値が属する範囲Ｒαに基づいて選択される１つまたは複数に、通信部２２７を介して送信する。送信されるトリガ情報は、少なくとも、指標値が範囲Ｒ１、Ｒ２、Ｒ３、…、Ｒｎのうちのどの範囲Ｒに属するかを示す情報、および指標値がどの測定装置ＩＤについてのものなのかを示す情報を含む。
【００８７】
トリガ情報の送信先は、境界値の変更の場合と同様に、ユーザがサーバ２のシステムにログインすることを通じて変更されることが可能である。ある測定装置５のユーザは、当該測定装置５と関連付けられた情報端末６への送信を選択することができる。または、ある測定装置５のユーザは、自身が属するグループの別の構成員の測定装置５と関連付けられた情報端末６への送信を選択することが可能である。
【００８８】
また、トリガ情報の送信先は、指標値が属する範囲ごとに設定されることが可能である。例えば、トリガ情報は、相違する範囲について、相違する送信先の数が設定される。例として、より高い指標値を含む範囲（より高い範囲）についてのトリガ情報の送信先はより多い。より具体的には、指標値がある範囲Ｒβ（βはｎ未満の自然数）に属する場合、トリガ情報は、ある１つの測定装置５と関連付けられた情報端末６に送信される。送信先の情報端末６は、例えば、範囲Ｒβに属する指標値の算出に使用された測定データを測定した測定装置５と関連付けられた情報端末６である。または、範囲Ｒβに属する指標値の算出に使用された測定データを測定した測定装置５と同じグループに属する別の測定装置５と関連付けられた情報端末６である。そのような情報端末６は、例えば、範囲Ｒβに属する指標値の算出に使用された測定データを測定した測定装置５が夫によって所有されている場合、妻の情報端末６である。
【００８９】
また、指標値が範囲Ｒγ（γはβ超かつｎ未満の自然数）に属する場合、トリガ情報は、２つの測定装置５とそれぞれ関連付けられた２つの情報端末６である。具体的には、トリガ情報は、例えば、範囲Ｒγに属する指標値の算出に使用された測定データを測定した測定装置５と関連付けられた情報端末６、および当該測定データを測定した測定装置５と同じグループに属する別の測定装置５と関連付けられた情報端末６である。そのような情報端末６は、より具体的には、例えば、範囲Ｒγに属する指標値の算出に使用された測定データを測定した測定装置５が夫によって所有されている場合、夫および妻のそれぞれの情報端末６である。
【００９０】
さらに、指標値が範囲Ｒδ（δはγ超かつｎ未満の自然数）に属する場合、トリガ情報は、情報端末６ａ〜６ｃに送信される。指標値がさらに高い範囲に属する場合、トリガ情報が情報端末６ａ〜６ｃ以外の情報端末６に送信されてもよい。例えば、トリガ情報は、指標値の算出に使用された測定データを送信した測定装置５のユーザの主治医の情報端末（例えば情報処理端末４）に送信される。
【００９１】
さらに、指標値が範囲Ｒｎに属する場合、トリガ情報送信部２２５は、指標値が範囲Ｒｎに属する旨および指標値の算出に使用された測定データを送信した測定装置５のＩＤを含む信号を、通信部２２７を介して、保険会社サーバ７に送信する。
【００９２】
図１０は、実施例に係るサーバ２の動作のフローを示す。図１０は、ｎ＝５の例、すなわち境界値Ｂ１、Ｂ２、Ｂ３、Ｂ４、およびＢ５が使用され、ひいては範囲Ｒ１、Ｒ２、Ｒ３、Ｒ４、およびＲ５が使用される例を示す。以下の説明は、ユーザ端末１ａ、すなわち測定装置５ａおよび情報端末６ａについての例に関する。しかしながら、サーバ２は、ユーザ端末１ａについてのみ図１０のフローおよび以下に説明される動作を行うのではなく、図１０のフローおよび以下に説明される動作をユーザ端末１ｂおよび１ｃに対しても並行して行う。
【００９３】
図１０に示されるように、ステップＳ２１において、サーバ２は、あるタイミングで測定装置５ａについての最新の測定データを取得し、最新の測定データから測定装置５のユーザについての最新の指標値を算出する。ステップＳ２２において、サーバ２は、最新の指標値が範囲Ｒ５に属するか否か、すなわち指標値が境界値Ｂ５を上回るか否かを判断する。
【００９４】
指標値が範囲Ｒ５に属する場合（ステップＳ２２でのＹｅｓ分岐）、ステップＳ２３において、サーバ２は、指標値が範囲Ｒ５に属する旨および指標値の算出に使用された測定データを送信した測定装置５のＩＤを保険会社サーバ７に通知する。通知を受けて、保険会社サーバ７は、例えば、測定装置５ａのユーザのグループＩＤについての現在の区分を更新する。ステップＳ２３は、ステップＳ３２に継続する。ステップＳ３２において、サーバ２は予め定められた期間に亘って待機する。ステップＳ３２は、ステップＳ２１に継続する。
【００９５】
指標値が範囲Ｒ５に属さない場合、すなわち指標値が境界値Ｂ５を上回らない場合（ステップＳ２２でのＮｏ分岐）、ステップＳ２４において、サーバ２は、ステップＳ２１で得られた指標値が範囲Ｒ４に属するか否か、すなわち指標値が境界値Ｂ４を上回るか否かを判断する。指標値が範囲Ｒ４に属する場合、すなわち指標値が境界値Ｂ４を上回る場合（ステップＳ２４でのＹｅｓ分岐）、ステップＳ２５において、サーバ２は、測定装置５ａのユーザの主治医の端末（例えば情報処理端末４）およびグループ内の全てのユーザの情報端末６ａ〜６ｃにトリガ信号を送信する。ステップＳ２５は、ステップＳ３２に継続する。
【００９６】
指標値が範囲Ｒ４に属さない場合、すなわち指標値が境界値Ｂ４を上回らない場合（ステップＳ２４でのＮｏ分岐）、ステップＳ２６において、サーバ２は、ステップＳ２１で得られた指標値が範囲Ｒ３に属するか否か、すなわち指標値が境界値Ｂ３を上回るか否かを判断する。指標値が範囲Ｒ３に属する場合、すなわち指標値が境界値Ｂ３を上回る場合（ステップＳ２６でのＹｅｓ分岐）、ステップＳ２７において、サーバ２は、グループ内の全てのユーザの情報端末６ａ〜６ｃにトリガ信号を送信する。ステップＳ２７は、ステップＳ３２に継続する。
【００９７】
指標値が範囲Ｒ３に属さない場合、すなわち指標値が境界値Ｂ３を上回らない場合（ステップＳ２６でのＮｏ分岐）、ステップＳ２８において、サーバ２は、ステップＳ２１で得られた指標値が範囲Ｒ２に属するか否か、すなわち指標値が境界値Ｂ２を上回るか否かを判断する。指標値が範囲Ｒ２に属する場合、すなわち指標値が境界値Ｂ２を上回る場合（ステップＳ２８でのＹｅｓ分岐）、ステップＳ２９において、サーバ２は、情報端末６ａおよび６ｂにトリガ信号を送信する。ステップＳ２９は、ステップＳ３２に継続する。
【００９８】
指標値が範囲Ｒ２に属さない場合、すなわち指標値が境界値Ｂ２を上回らない場合（ステップＳ２８でのＮｏ分岐）、ステップＳ３０において、サーバ２は、ステップＳ２１で得られた指標値が範囲Ｒ１に属するか否か、すなわち指標値が境界値Ｂ１を上回るか否かを判断する。指標値が範囲Ｒ１に属する場合、すなわち指標値が境界値Ｂ１を上回る場合（ステップＳ３０でのＹｅｓ分岐）、ステップＳ３１において、サーバ２は、情報端末６ａ（または情報端末６ｂ）にトリガ信号を送信する。ステップＳ３１は、ステップＳ３２に継続する。指標値が範囲Ｒ１に属さない場合、すなわち指標値が境界値Ｂ１を上回らない場合（ステップＳ３０でのＮｏ分岐）、フローは、ステップＳ３２に継続する。
【００９９】
サーバ２は、あるユーザについての指標値がある境界値（例えば最小の境界値Ｂ１）を下回ると、当該ユーザが属するグループの現在の区分を１段階下げることができる。この区分低下のための判断のための境界値は、やはり、保険会社の担当者のみが設定できるようにされることが可能である。
【０１００】
２−２−４．保険会社サーバ
保険会社サーバ７は、サーバ２から、ある指標値が範囲Ｒｎに属する旨を示す信号を受け取ると、当該指標値の算出に使用された測定データを送信した測定装置５のＩＤのグループのＩＤについての区分を更新する。更新は、例えば、現在の区分より低い区分への変更を含む。例えばより区分が低いと、その区分に属するグループが加入するグループ保険の保険料はより高い。例えば、あるグループの構成員の２人のそれぞれの指標値がともに範囲Ｒｎに属する場合、２人の各々の指標値が範囲Ｒｎに属することになる度に区分が上がる。逆に、更新は、現在の区分より高い区分への変更であってもよい。この場合、より区分が高いと、その区分に属するグループが加入するグループ保険の保険料はより高い。
【０１０１】
保険会社サーバ７の機能は、サーバ２が有していてもよい。この場合、サーバ２は、例えば、保険会社サーバ７の上記した処理を実行できる区分管理部をさらに含む。区分管理部は、ＲＯＭ６１１から記憶装置２１２に読み出された、または記憶装置２１２上に保持されたプログラムがプロセッサ２１３により実行されることにより実現される。逆に、保険会社サーバ７が、サーバ２の機能を含んでいても良い。
【０１０２】
３．効果
以上説明されたように、サーバ２は、あるグループのある構成員の健康状態関連情報を受け取り、当該健康状態関連情報に基づく指標値がある範囲Ｒに属すると判断されると、当該グループのある構成員群（１人も含む）のそれぞれの情報端末６にトリガ情報を送信し、指標値が別の範囲Ｒに属すると判断されると、当該グループの別の構成員群の情報端末６にトリガ情報を送信する。このように、指標値が属すると判断された範囲Ｒに応じて相違する情報端群にトリガ情報が送信される。こうすることにより、グループ間でのトリガ情報が共有されることが可能である。また、健康状態関連情報の値に応じて相違する情報端末群にトリガ情報が送信されるため、指標値の重要度に応じて段階的にトリガ情報の送信先が設定されることが可能となり、指標値の重要度に応じてグループ間での指標値の所属先情報の共有の範囲が設定されることが可能である。
【０１０３】
特に、指標値がグループで加入する保険の月々の保険料に影響する場合、指標値の所属先の情報がグループで共有されることは、各人の指標値増加防止の動機として役立ち得る。他の構成員からの指摘を避けようとすると一般に考えられるからである。また、ある指標値が、保険料増加に繋がる範囲Ｒｎに属することになる前に、構成員に範囲Ｒｎより低い範囲Ｒへの所属が通知されるため、構成員は保険料増加に繋がる範囲Ｒｎに属することになる前に対策を取る機会を得ることができる。
【０１０４】
逆に、ユーザは、現在属する範囲Ｒより低い範囲Ｒに属することになったことを知ることにより、指標値低下に繋がる生活習慣の改善の結果が表れたことを実感し、指標値低下の努力を今後も続けるための意欲を維持することができる。
【０１０５】
４．変形例
上記適用例および実施例では、例として、指標値は血圧そのものである。しかしながら、本発明の実施形態は、この例に限られず、指標値は種々の方法で算出されることが可能である。例えば、指標値は、血圧に代えて、活動量そのものである。そのために、ユーザ端末１は、活動量をサーバ２に送信する。さらに、指標値は、健康状態関連情報を含め複数の相違するタイプの量の組合せから算出されることが可能である。例えば、指標値は、血圧と活動量の組合せから算出される。この場合、指標値は、血圧が高いほど、大きな値を有し、活動量が大きいほど小さな値を有する。
【０１０６】
さらに、指標値の算出のために、種々の情報の数値に重みが付されてもよい。例えば、血圧Ｐ、活動量Ａ、および正の定数Ｃ１ならびにＣ２とすると、指標値はＣ１Ｐ−Ｃ２Ａと算出される。
【０１０７】
また、指標値が１つのグループに対して１つ算出され、１グループ用の１つの指標値に基づいて区分が決定されてもよい。最も簡単な例としては、あるグループの全構成員のある健康状態関連情報の値の算術結果、例えば血圧の平均値が、当該グループのための指標値として使用される。
【０１０８】
また、各指標値が、グループの他の構成員の健康状態関連情報によって補正されてもよい。例えば、血圧は、遺伝および生活習慣に相関する。そこで、遺伝および（または）生活習慣に依存する重みが、他の構成員の健康状態関連情報に乗じられ、乗じられた値が本人の指標値の算出に使用される。具体的には、以下の通りである。１グループが夫婦と１人の子の家族である場合で、夫婦は遺伝関係を有さず、一方、夫と子は互いに遺伝関係を有し、妻と子は互いに遺伝関係を有する。そこで、夫、妻、および子の血圧をそれぞれＰＨ、ＰＷ、およびＰＣとすると、夫の指標値は、ＰＨ＋Ｃ３ＰＣとされる。Ｃ３は、定数であり、夫の指標値に対して、子の血圧が加味されるべき大きさに基づく。夫と遺伝関係を有しない妻の血圧ＰＷは加味されない。同様に、妻の指標値は、ＰＷ＋Ｃ４ＰＣとされる。Ｃ４は、定数であり、子の血圧が加味されるべき大きさに基づく定数である。さらに、子の指標値は、ＰＣ＋Ｃ５ＰＨ＋Ｃ６ＰＷとされる。Ｃ５およびＣ６は、定数であり、子の指標値に対して、それぞれ夫および妻の血圧が加味されるべき大きさに基づく。
【０１０９】
また、夫婦が１日を通じて同じ場所に長くいる場合、夫婦の生活習慣、とりわけ食事が似ており、ひいては、夫婦の血圧は一定の相関を有すると仮定されることが可能である。この仮定に基づいて、夫の指標値は、ＰＨ＋Ｃ７ＰＷとされ、妻の指標値は、ＰＷ＋Ｃ７ＰＨとされる。Ｃ７は、定数であり、夫または妻の指標値に対して、妻または夫の血圧が加味されるべき大きさに基づく。たとえ同様の生活を送っているにも関わらず一方の血圧のみが以前より高くなったとしても、もう一方も血圧が上昇する可能性があると推定されることになる。夫および妻の位置は、例えば、ユーザ端末にＧＰＳ（Global Positioning System）センサを搭載することにより、サーバ２によって判断されることが可能である。
【０１１０】
以上のような指標値算出のために、サーバ２は、定数Ｃ１〜Ｃ７を記憶装置２１２において保持する。
【０１１１】
または、サーバ２は、各グループの区分および（または）グループの各構成の指標値の算出のための種々のデータが互いに関連付けられているデータ構造を保持していてもよい。図１１は、そのようなデータ構造の例を示し、実施例（変形例）に係る健康管理情報のデータ構造を示す。特に、図１１は、ある１つのグループについての例を示す。サーバ２は、記憶部２２１において、図１１に示されるようなデータ構造を構成する、互いに関連付けられたデータを記憶する。
【０１１２】
図１１に示されるように、グループのＩＤに対して、当該グループに属する全構成員のそれぞれのＩＤ（構成員の測定装置ＩＤ）が関連付けられている。さらに、各構成員のＩＤに、当該構成員についての健康状態関連情報、健康状態関連情報以外の固定の情報、その他の動的情報が関連付けられている。健康状態関連情報以外の固定の情報は、例えば、年齢、遺伝関係、および（または）場所情報である。遺伝情報は、ある構成員が有する別の構成員との遺伝関係であり、例えば夫および妻は、子と互いに遺伝関係を有し、夫と妻は遺伝関係を有しない。場所情報は、例えば、ある構成員が、ある単位期間（１日、１週間、１ヶ月）に亘って、ある境界値以上の長きに亘ってほぼ同じ場所にいる他の構成員を示す。また、健康状態関連情報は、健康状態関連情報を含む測定データがサーバ２によって受信される度に、更新される。その他の情報は、例えば、活動量を含む。
【０１１３】
サーバ２は、図１１の構造のデータを使用して、各構成員の指標値を算出し、算出された指標値を、各構成員について保持する。そして、構成員の指標値から、構成員の属するグループについての区分を決定することができる。
【０１１４】
また、サーバ２は、図１１のデータ構造を使用して、定数Ｃ１〜Ｃ７をすることができる。または、定数Ｃ１〜Ｃ７は、図１１のデータ構造を使用して、予め算出されておいても良い。
【０１１５】
また、グループは、遺伝関係を有することに加えてまたはこれに代えて、生活習慣が類似する人の組であってもよい。上記のように、類似する生活習慣を有する人の組は、互いに相関する健康状態（例えば血圧）を有し得るからである。このような類似する生活習慣を有する人の組は、例えば、ある一定の時間に亘って同じ場所で生活する人の組であり、例えば、事実婚の夫婦、同棲している男女、同性婚している１対の男または女、集団生活を営む人の組である。集団生活を営む人の組は、例えば、寮または老人ホームで生活する人の組、ある刑務所の受刑者の組、軍隊を含む。
【符号の説明】
【０１１６】
１００…情報送受信システム、１、１ａ〜１ｃ…ユーザ端末、２…サーバ、３…通信ネットワーク、４…情報処理端末、５、５ａ〜５ｃ…測定装置、６、６ａ〜６ｃ…情報端末、７…保険会社サーバ。
【図１】
2019117594.tif 000003
【図２】
2019117594.tif 000004
【図３】
2019117594.tif 000005
【図４】
2019117594.tif 000006
【図５】
2019117594.tif 000007
【図６】
2019117594.tif 000008
【図７】
2019117594.tif 000009
【図８】
2019117594.tif 000010
【図９】
2019117594.tif 000011
【図１０】
2019117594.tif 000012
【図１１】
2019117594.tif 000013